(57)【特許請求の範囲】
【請求項１】
外周にねじ山（８）を有する裏蓋（６）を腕時計ケース（２６）の中間部材（２８）に固定する装置であって、
この固定する装置は、腕時計（２６）の中間部材（２８）の下部分に押し込まれた介在部品（１）を備えており、
この介在部品（１）は、弾性ブロッキング部材（４）とこの弾性ブロッキング部材（４）の内側に同心状に配置された金属部品（2）とを含み、
前記金属部品（２）が裏蓋（６）によって回転駆動されて、弾性ブロッキング部材（４）に当接するまで、裏蓋（６）は、裏蓋（６）のねじ山（８）を介して、裏蓋（６）のねじ山（８）に噛み合わせられるように対応のねじ山（１２）を内周に有する前記金属部品（２）にねじ付けられ、
弾性ブロッキング部材（４）は、前記腕時計（２６）の中間部材（２８）に当接するまで金属部品（２）によって回転駆動され、
腕時計（２６）の１２時−６時を通る垂直軸に対する前記裏蓋（６）のアラインメントを調整するために、前記金属部品（２）を弾性ブロッキング部材（４）に対して回転させることができるようにしたことを特徴とする装置。
【請求項２】
弾性ブロッキング部材（４）は、横方向に圧縮され、裏蓋（６）は前記金属部品（２）にねじ付けられて、裏蓋（６）が前記金属部品（２）に完全にねじ付けられる時、前記金属部品（２）が前記弾性ブロッキング部材（４）に当接する点へ、固定された状態の前記弾性ブロッキング部材（４）上を前記金属部品（２）が摺動することによって、腕時計（２６）の中間部材（２８）に対して３６０°未満の角度だけ回転ができるようにしたことを特徴とする請求項１記載の固定装置。
【請求項３】
前記弾性ブロッキング部材（４）は、腕時計（２６）の中間部材（２８）上を摺動して、前記金属部品（２）によって回転するように駆動されることによって、３６０°未満の角度だけ回転させられることができるようにしたことを特徴とする請求項２記載の固定装置。
【請求項４】
前記弾性ブロッキング部材（４）の圧縮永久ひずみによって決定される、腕時計（２６）の１２時−６時を通る垂直軸に対する裏蓋（６）のアラインメント調整トルクは、裏蓋（６）を前記金属部品（２）上にねじ付けるトルクより小さいことを特徴とする請求項２または３記載の固定装置。
【請求項５】
前記金属部品（２）は、前記弾性ブロッキング部材（４）に対して角度（α）だけ回転することができ、また、前記金属部品（２）および前記弾性ブロッキング部材（４）は、角度（α）の値に加えた時に合計が３６０°になるような値を有する角度（β）だけ一緒に回転することができることを特徴とする請求項２乃至４のいずれかに記載の固定装置。
【請求項６】
前記角度（α）は、２７０°であり、前記角度（β）は、９０°であることを特徴とする請求項５記載の固定装置。
【請求項７】
前記弾性ブロッキング部材（４）は、その内周上に配置された円弧形の第１リム（２２）と、その外周上に配置されて、前記内側リム（２２）によって形成される円弧に対して相補的な円弧形の第２リム（２４）とを有することを特徴とする請求項５または６記載の固定装置。
【請求項８】
前記金属部品（２）は、その外周から突出して前記弾性ブロッキング部材（４）の前記内側リム（２２）に沿って角度（α）だけ回転することができる突起（２０）を有することを特徴とする請求項７記載の固定装置。
【請求項９】
裏蓋（６）が前記金属部品（２）上に時計回り方向に完全にねじ付けられた後、裏蓋（６）と前記金属部品（２）によって形成されたアセンブリを、固定状態にある前記弾性ブロッキング部材（４）上を摺動させて角度（α）の少なくとも一部分だけ反時計回り方向に回転させ、また、前記アセンブリが角度（α）だけ回転した時に裏蓋（６）が腕時計（２６）の１２時−６時を通る垂直軸に対してまだ適切に整合していない場合、角度（β）の少なくとも一部分だけ腕時計（２６）の中間部材（２８）上を摺動して回転するように前記弾性ブロッキング部材（４）を駆動することを特徴とする請求項８記載の固定装置。
【請求項１０】
前記金属部品（２）は、前記弾性部材（４）に当接している突起（２０）を介して前記弾性ブロッキング部材（４）を駆動して回転させることを特徴とする請求項９記載の固定装置。
【請求項１１】
裏蓋（６）をはずすために、前記弾性部材（４）が腕時計（２６）の中間部材（２８）に打ち込まれたピン（６７）に当たって不動化されるまで、前記裏蓋（６）、前記金属部品（２）および前記弾性ブロッキング部材（４）によって形成されたアセンブリを反時計回り方向に回転させ、前記突起（２０）を前記弾性部材（４）に当接させて前記金属部品（２）を不動化することによって、裏蓋（６）を取り外すことができるようにしたことを特徴とする請求項４乃至１０のいずれかに記載の固定装置。
【請求項１２】
前記弾性ブロッキング部材（４）は、その下部分に沿って延在したベース（５１）を有しており、裏蓋（６）を前記金属部品（２）にねじ付けた時、前記ベースが前記金属部品（２）と腕時計（２６）の中間部材（２８）との間に圧縮されることを特徴とする請求項２乃至１１のいずれかに記載の固定装置。
【請求項１３】
軸方向保持を行うために、前記弾性部材（４）は、腕時計（２６）の中間部材（２８）に設けられた対向溝（５４）にはめ込まれる突出部分（５２）を有することを特徴とする請求項２乃至１２のいずれかに記載の固定装置。
【請求項１４】
前記溝（５４）は、前記弾性部材（４）および前記金属部品（２）上に被さってそれらが軸方向上方へ移動するのを防止する返し部分（５６）を有することを特徴とする請求項１３記載の固定装置。
【請求項１５】
前記金属部品は、その外周に環状肩部（１４）を有しており、その上面（１６）に、前記弾性部材（４）の内周に沿って延在するカラー（１８）が当接していることを特徴とする請求項２乃至１４のいずれかに記載の固定装置。
【請求項１６】
腕時計（２６）の中間部材（２８）の底部から前記介在アセンブリ（１）を強制的に挿入しやすくするために、前記弾性部材（４）は、腕時計（２６）の外側に位置する上縁部（４８）の全長にわたって、腕時計（２６）の中間部材（２８）の下部分に設けられた対応の傾斜面（５０）上を摺動する傾斜面（４８）を有することを特徴とする請求項２乃至１５のいずれかに記載の固定装置。
【請求項１７】
裏蓋（６）は、腕時計（２６）の中間部材（２８）の下側へ前進して、前記金属部品（２）が軸方向下方に移動しないようにする支持表面として機能するようにしたことを特徴とする請求項２乃至１６のいずれかに記載の固定装置。
【請求項１８】
裏蓋（６）は、腕時計（２６）を装着している人の手首側に曲がった外表面（５８）に、チャックキーのスタッドを差し込むために使用されるノッチ（６０）を有することを特徴とする請求項１乃至１７のいずれかに記載の固定装置。
【請求項１９】
裏蓋（６）および腕時計（２６）の中間部材（２８）間の密封状態を保証するために、腕時計（２６）の中間部材（２８）の底部に設けられた環状溝（７６）にＯリング（７４）が挿入されていることを特徴とする請求項１乃至１８のいずれかに記載の固定装置。
【発明の詳細な説明】
【０００１】
【発明の属する技術分野】
本発明は、腕時計ケースの中間部材にねじ付けられる裏蓋の、１２時−６時を通る垂直軸に対するアラインメントを調整するシステムに関する。
【０００２】
【従来の技術】
腕時計ケースの裏蓋をケースの中間部材にねじ付ける際に、裏蓋を完全にねじ付けた時、腕時計装着者の手首側に位置する裏蓋の面に型押しまたは型彫りなどによって設けられた装飾的マークまたはデザインがその腕時計の１２時−６時を通る垂直軸に対して適切に整合せず、時計の美的外観に悪影響を与えることに気づくことがある。
【０００３】
この不良な外観は廉価な時計の場合には許容できるであろうが、もっと高価な時計の場合、極めて不都合な欠点になる。
【０００４】
この欠点を解決するために、今日までに知られている唯一の解決策は、完全にねじ付けると、裏蓋が時計の１２時−６時を通る軸に完全に整合できるように、製造中に、決められた時計ケースに裏蓋を結合させることである。しかしながら、時計の当初の裏蓋が紛失または破損し、中間部材にねじ付けた時に１２時−６時を通る軸に、確信はできないが、適切に整合すると思われる別の裏蓋と交換することが必要になった場合、問題が生じるため、この解決策では満足できない。
【０００５】
【発明が解決しようとする課題】
本発明の目的は、裏蓋を腕時計ケースの中間部材にねじ付けた後、腕時計の１２時−６時を通る軸に対する裏蓋のアラインメントを簡単かつ効果的に調整して、腕時計装着者の手首側に面する腕時計の裏蓋の面に加えられているマークおよび他の装飾的デザインの適切な配置を保証することができるシステムを提供することによって、上述した欠点を解決することである。
【０００６】
【課題を解決するための手段】
したがって、本発明は、外周にねじ山を有する裏蓋を腕時計ケースの中間部材に固定する装置であって、腕時計の中間部材の下部分に押し込まれた介在部品を備えており、裏蓋がねじ山で、それに噛み合わせられるように対応するねじ山を内周に有する介在部品にねじ付けられ、腕時計の１２時−６時を通る垂直軸に対する裏蓋のアラインメントを調整するために、介在部品を腕時計の中間部材に対して回転させることができるようにしたことを特徴とする装置に関する。
【０００７】
これらの特徴の結果として、本発明は、裏蓋を腕時計の中間部材に完全にねじ付けて、その密封状態を確保すると共に、裏蓋が紛失する危険性をできる限り回避できるようにするだけでなく、裏蓋が固定的にねじ付けられていても、裏蓋の目に触れる面に付けられたマークまたはデザインが腕時計の１２時−６時を通る軸に対して不整合であるのを補うために、裏蓋を中間部材に対して回転できるようにする、腕時計裏蓋を固定する装置を提供している。
【０００８】
したがって、従来技術の問題が解決される。特に、裏蓋および中間部材を対にして非常に精密に加工して、組み立て中、裏蓋を対応の中間部材に完全にねじ付けた時、裏蓋が腕時計の垂直軸に対して確実に適切に整合するようにする必要がなくなる。裏蓋および中間部材を加工しなければならない精密さの必要が減少することによって、本発明は、製造コストを相当に削減し、加工不良のために廃棄しなければならない部品数を抑えることができ、このことはもちろん、完成した時計の価格に好適な影響を与える。
【０００９】
本発明の別の特徴によれば、介在部品は、弾性ブロッキング部材と、この弾性ブロッキング部材の内側に同心状に配置された金属部品とを含み、裏蓋は金属部品にねじ付けられ、裏蓋が金属部品に完全にねじ付けられた時、金属部品は、固定状態にある弾性ブロッキング部材上を停止点まで摺動することによって、腕時計の中間部材に対して回転させることができる、この停止点から金属部品は再び金属ブロッキング部材に対して固定され、弾性ブロック部材は、金属部品によって回転するように駆動されて腕時計の中間部材上を摺動することによって回転さえられ、これによって、腕時計の１２時−６時を通る垂直軸に対する裏蓋のアラインメントを調整することができる。
【００１０】
本発明のさらなる特徴によれば、垂直軸に対する裏蓋のアラインメント調整トルクは、裏蓋を中間部材に取り付けるための介在部品上に裏蓋をブロックしているトルクより小さい。
【００１１】
したがって、裏蓋が、それの垂直アラインメントを調整するために回転させた時にはずれやすくならないようにすることができる。
【００１２】
本発明の他の特徴および利点は、純粋に添付図面を参照した非制限的な説明によって与えられる本発明に従った固定装置の実施形態の以下の記載からさらに明らかになるであろう。
【００１３】
【発明の実施の形態】
本発明は、裏蓋を直接的に腕時計ケースの中間部材上ではなく、腕時計の中間部材の下部分に押し込まれた介在アセンブリにねじ付けて、介在アセンブリに固定的にねじ付けられた裏蓋が紛失することがないようにする一方、時計の１２時−６時を通る垂直軸に対するそれのアラインメントを調整するために、時計の中間部材に対して回転させることができるようにする発明的着想から始まる。これらの特徴の結果として、本発明は、中間部材および裏蓋を高精度に加工する必要がなく、従って製造コストを削減することができる時計を提供している。
【００１４】
腕時計の裏蓋を中間部材に固定するための本発明による介在アセンブリが、図１に個別部材の斜視図で示されている。全体的に参照番号１で示されたこの介在アセンブリは、ほぼリング形の金属部品材２を備え、これはやはりほぼリング形である弾性ブロッキング部材４の内部に同心状に配置されている。
【００１５】
円形の裏蓋６は、この裏蓋６の内面から同心状に立ち上がったクラウン１０のねじ山８が、それに噛み合わせられる対応したねじ山１２を内周に有する金属部品２にねじ付けられる。
【００１６】
図２および図３と共に図１からわかるように、金属部品２の周囲に外側環状肩部１４が設けられ、それの上面１６に、弾性ブロッキング部材４の内周に沿って延在するカラー１８が当接している。
【００１７】
金属部品２はさらに突起２０を有し、これは、詳細に後述するように、弾性ブロッキング部材４の内周上に配置された縁部２３によって区画された円弧形のリム２２に沿って角度α（図７）だけ回転することができる。弾性ブロッキング部材４はさらに、縁部２５によって区画された第２リム２４を外周上に有する。この外側リム２４は、内側リム２２が存在しない区域で、内側リム２２によって形成された円弧をほぼ補完する円弧を形成している。言い換えると、第２リム２４によって形成された円弧がなす角度β（図８）は、角度αに加算した時、合計が３６０°になる値を有する。図示の例では、角度αの値は好ましくは２７０°で、これは円周の３／４に相当し、したがって角度βの値は、残りの円弧に相当する９０°である。しかし、角度αおよびβは、それらの合計が３６０°でありさえすれば、いずれの値もとることができることは言うまでもない。角度αおよびβの合計の値に関するこの条件は、裏蓋が時計の１２時−６時を通る垂直軸に対して完全に不整合状態にある場合、裏蓋６を１回転できることが必要である場合もあるためである。
【００１８】
本発明による介在アセンブリ１を備え、これによって裏蓋が時計の中間部材に取り付けられている、たとえば腕時計形式の時計が、図２および図３に部分的に示されている。全体的に参照番号２６で示されたこの時計は特に、中間部材２８を有する。ガラス３２を保持するために使用されるベゼル３０がこれにねじ付けされて取り付けられている。ベゼル３０とガラス３２によって形成されたアセンブリは、シーリングガスケット３４を挿入することによって防水されている。中間部材２８はまた、竜頭４０が取り付けられているステム３８を通す開口３６を有する。図２および図３に示された例では、腕時計２６はアナログ時間表示形式であり、したがって文字盤４４の上方を移動する時間および分用の１組の針４２（図面には１本の針が示されている）を備えている。本発明を、たとえば液晶セルを備えたデジタル時間表示時計にも等しく適用できることは言うまでもない。
【００１９】
以上の説明から理解されるように、本発明は、円形裏蓋を有するいずれの形式の時計にも適用することができ、実施に際して最小限の変更が必要であるが、これは主に、本発明に従って裏蓋６を固定するための介在アセンブリ１との接合が行われる中間部材２８の下部分に与えられる形状に関するものである。
【００２０】
弾性ブロッキング部材４は、中央に環状リセスを有し、これに金属部品２をはめ込むことができるようになっている。金属部品２をはめ込んだ部材４すなわちアセンブリ１を腕時計２６に取り付ける。
【００２１】
したがって、金属部品２および弾性ブロッキング部材４によって形成された介在アセンブリ１は、時計２６の底から中間部材内へ押し込まれる。このはめ込み移動を容易にするために、弾性部材４は、時計２６の外側に位置する上縁部４６の全長にわたって、中間部材２８の下部分に設けられた対応の傾斜面５０上を摺動する傾斜面４８を有する。
【００２２】
金属部品２および弾性部材４は、それらを中間部材２８に押し込んだ時、金属部品２が弾性部材４を半径方向に中間部材２８に押しつけ、これによって弾性部材４を圧縮する効果が得られるような寸法になっている。この弾性部材４は特に、下部分に沿って延在するベース５１を有し、これは、圧縮力に応答して、金属部品を裏蓋６に固定的に押しつけて、構造的組み立て状態の適当な保持が確実に得られるようにする。ベース５１の圧縮永久ひずみが２０％程度であることが好ましい。そのような率は、一方では金属部品２と弾性部材４の間で、また他方では弾性部材４と中間部材２８と間で摩擦力を増加させ、したがって、図６〜図８を参照しながら説明するように、時計２６の１２時−６時を通る垂直軸に対する裏蓋６のアラインメントの調整に要するトルクを決定する。
【００２３】
軸方向保持を行うために、弾性部材４の外周全体にわたって突出部分５２が設けられており、これが中間部材２８内に対向配置された溝５４にはまっている。溝５４は、弾性部材４および金属部品２の上に被さってそれらのための停止表面として作用する上部の返し部分５６を有する。
【００２４】
本発明による介在アセンブリ１を時計２６の中間部材２８にはめ込んだ後、裏蓋６を金属部品２上にねじ付けることができる。したがって、裏蓋６は、腕時計２６を装着している人の手首側を向いている外表面５８に、裏蓋６を金属部品２内に完全にねじ込むための、チャックキー（図示せず）のスタッドを差し込むために使用されるノッチ６０を有する。
【００２５】
裏蓋６は、腕時計２６の中間部材２８の下側で前進して、金属部品２および弾性部材４を人目に触れないように覆うことがわかるであろう。裏蓋６の縁部分６２は裏蓋６のねじ付けの終りに金属部品２に当たる停止表面としても作用する。
【００２６】
図６において、型押しまたは型彫りなどの適当な技法によって裏蓋６の目に触れる外面５８に加えられたデザイン６６（この場合、ギリシャ文字の大文字のオメガ）が、腕時計２６の１２時−６時を通る垂直軸に対して完全に不整合状態にあることがわかるであろう。したがって、問題は、それを適当に整合させて、それによって腕時計２６の美的外観を向上させるように、このデザイン６６を調整することにある。
【００２７】
本発明は、上記問題を解決できるようにする。まず最初に、チャックキーを使用して、裏蓋６を金属部品２に完全にねじ込む。金属部品２の突起２０が弾性部材４の内側縁部２３に当接し、弾性部材４はその外側縁部２５が腕時計の中間部材２８に打ち込まれたピン６７（図６を参照）に当接するため、裏蓋６は強いブロッキングトルクまでねじ付けることができる。
【００２８】
裏蓋６は、時計回り方向に回転させることによってねじ付けられる。デザイン６６が１２時−６時を通る垂直軸に対して不整合状態にあるので、裏蓋６と金属部品２によって形成されたアセンブリを再びチャックキーを使用して回転させる。裏蓋６は金属部品に矢印Ａ（図７）に沿って反時計回り方向にねじ付けられている。互いに固定されている裏蓋６と金属部品２は、弾性ブロッキング部材４に対して回転する。
【００２９】
もちろん、裏蓋６／金属部品２アセンブリを回転させるように加えなければならないトルクは、裏蓋６を金属部品２にブロッキングするトルクより小さくなければならず、そうでなければ、裏蓋６がはずれやすくなるであろう。腕時計２６の１２時−６時を通る垂直軸に対する裏蓋６のアラインメント調整トルクは実質的に、金属部品２と弾性部材４のベース５１と間に加えられる摩擦力によって決定される。前述したように、ベース５１の２０％程度の圧縮永久ひずみが好ましく、それが金属部品２と弾性部材４の間に誘発する摩擦力によって、そのような率は、裏蓋６が誤って移動しやすくするのを防止できるように十分に高いが、裏蓋６の反時計回り方向の回転でそれがはずれることがない程度に低い裏蓋６のアラインメント調整率をもたらすからである。
【００３０】
図７では、裏蓋６／金属部品２アセンブリが、固定されている弾性ブロッキング部材４に対してほぼ２７０°である角度αだけ回転していることがわかる。この移動中に、金属部品２の外周に突出している突起２０が、弾性部材４の内側リム２２の上面に沿って摺動している。裏蓋６および金属部品２によって形成されたアセンブリの移動位置の終点は、突起２０が弾性部材４の内側リム２２を区画している内側縁部２３の垂直面６８（図７）に当たって停止する点によって決定される。
【００３１】
もちろん、この移動中に、デザイン６６が腕時計２６の１２時−６時を通る垂直軸に整合する位置を通過した場合、裏蓋の回転を停止させる。
【００３２】
図示の場合、弾性ブロッキング部材４に当接した時、裏蓋６がまた適当に整合していないことがわかるであろう。したがって、先の段階で使用したものと同じチャックキーを使用して裏蓋６を回転させ続けなければならない。
【００３３】
この新しい回転移動中、弾性ブロッキング部材は静止していない。実際に、それは、弾性部材４の垂直面６８に当接した金属部品２の突起２０によって駆動されて回転する。もちろん、裏蓋６／金属部品２／弾性部材４のアセンブリを矢印Ｂ（図８）に沿って反時計回り方向に駆動するために加えなければならないトルクは、裏蓋６が誤ってはずれることを防止するために、裏蓋６を金属部品２上にブロックするトルクより小さくなければならない。腕時計２６の１２時−６時を通る垂直軸に対する裏蓋６のこの新しいアラインメント調整トルクは実質的に、弾性ブロッキング部材４および腕時計２６の中間部材２８間でベース５１に加えられる摩擦力によって決定される。
【００３４】
図８からわかるように、裏蓋６の目に触れる面に加えられたデザイン６６は最終的に、腕時計２６の１２時−６時を通る垂直軸に適当に整合する。この結果を得るために、裏蓋６／金属部品２／弾性部材４のアセンブリを角度βの一部分だけ再び回転させる必要がある。
【００３５】
ここで、必要時に裏蓋６をはずす方法に関して問題が生じる。これを行うためには、裏蓋６と、裏蓋６を腕時計２６のケースの中間部材２８に取り付けている本発明による介在アセンブリ１とを、弾性部材４がその外側リム２２を区画している縁部２５の垂直面７０で腕時計２６の中間部材２８に打ち込まれているピン６７に当接するまで回転させ続ける。したがって、突起２０で弾性部材４の内側縁部２３の垂直面６８に当接している金属部品２と同様に、弾性部材４が不動化する。この時、介在アセンブリ１を形成している２つの部品が中間部材に対して完全に静止状態に保持されるので、それらは裏蓋６を金属部品２にブロックさせるトルクに十分な力で対抗し、このため、裏蓋６を反時計回り方向に回転させることによって外すことができる。したがって、無限ねじ付け効果が防止される。
【００３６】
裏蓋６と中間部材２８との間の密封状態を保証するために、中間部材２８の底部に形成された環状溝７６にＯリング７４が従来通りに挿入されていることがわかるであろう。
【００３７】
金属部品２は、黄銅製にすることができる。弾性ブロッキング部材４は、天然または合成エラストマーか、圧縮後の残留永久ひずみが本発明の要件に適合する熱可塑性材料でも製造することができる。
【００３８】
本発明は、上記の実施形態に制限されることはなく、本発明の範囲から逸脱しないさまざまな簡単な変更および変化を考えることができることは、言うまでもない。
【００３９】
特に、時計ムーブメントも針またはガラスもまだ取り付けられていない腕時計２６の早い製造段階で、弾性ブロッキング部材４および金属部品２をガラス側から腕時計２６に挿入することができる。
【図面の簡単な説明】
【図１】裏蓋を腕時計の中間部材に取り付けるための介在アセンブリの分解斜視図であり、この介在アセンブリは、弾性ブロッキング部材と、弾性ブロッキング部材に同心状であって裏蓋をねじ付ける金属部品とを備えている。
【図２】本発明に従って裏蓋を固定するための介在部品を備えた時計の金属部品の突起の位置における断面図である。
【図３】図２の円で囲まれた部分の拡大図である。
【図４】図１のＩＶ−ＩＶ軸に沿った弾性ブロッキング部材の断面図である。
【図５】図１のＶ−Ｖ軸に沿った弾性ブロッキング部材の別の断面図である。
【図６】介在アセンブルの金属部品上に固定的にねじ付けられた時計ケースの裏蓋の平面図であって、裏蓋は腕時計の１２時−６時を通る垂直軸に対して適切に整合していない。
【図７】図６と同様な図であり、金属部品にねじ付けられた裏蓋によって形成されたアセンブリが、弾性ブロッキング部材に対して、金属部品の突起が弾性ブロッキング部材に当たって停止する位置まで回転していることがわかる。
【図８】図６と同様な図であり、ねじ付けられた裏蓋と、裏蓋を中間部材に固定するための介在アセンブリとが、中間部材に対して、裏蓋の目に触れる面に加えられたデザインが垂直軸に対して適正に整合する位置へ回転していることがわかる。
【符号の説明】
１  介在アセンブリ、２  金属部品、４  ブロッキング部材、６  裏蓋、８，１２ねじ山、１０  クラウン、２０  突起、２２、２４  リム、２３，２５  縁部。
【図１】
0004252263.tif 000002
【図２】
0004252263.tif 000003
【図３】
0004252263.tif 000004
【図４】
0004252263.tif 000005
【図５】
0004252263.tif 000006
【図６】
0004252263.tif 000007
【図７】
0004252263.tif 000008
【図８】
0004252263.tif 000009